(57)【特許請求の範囲】
【請求項１】
パネル本体と、
操作指示をユーザから受け付ける複数の操作ボタンを有し、前記パネル本体に設けられたボタン配置面と、
前記操作ボタンの機能名称が表記され、前記操作ボタンに対する第１位置決め手段を有し、前記ボタン配置面上に取り替え可能に載置された第１プレートと、
周縁部と、前記周縁部から外方へ突設された突出片とを有し、前記第１プレート上に取り外し可能に積重され、前記操作ボタンに対する第２位置決め手段を有し、前記第１プレートの表記が視認可能な程度に透明な第２プレートと、
前記パネル本体に回動自在に設けられた固定部材であって、第１方向に回動して前記突出片に当接することで、前記第１プレートおよび前記第２プレートを前記ボタン配置面に対して固定する固定姿勢と、前記第１方向とは反対の第２方向に回動して前記突出片から離間することで、前記第１プレートおよび前記第２プレートの固定状態を解除する解除姿勢との間で姿勢変更可能な固定部材と、
を備えた操作パネル。
【請求項２】
請求項１に記載の操作パネルにおいて、
前記固定部材は、
前記第１方向および前記第２方向に回動可能な当接片であって、前記第１方向に回動したときに前記突出片に当接する当接面を有する当接片と、
前記当接片を前記第１方向および前記第２方向に回動させる回動軸と、
前記当接面が向く方向と略同一の方向に突出するように前記当接片に設けられた舌状部と、を有し、
前記パネル本体は、前記第２プレートの前記周縁部に沿って設けられ、前記当接片が前記第１方向に回動して前記当接面が前記突出片に当接した状態で前記舌状部を係止することが可能な係止部を有する操作パネル。
【請求項３】
請求項２に記載の操作パネルにおいて、
前記舌状部は、弾性を有し、前記係止部に接触しつつ弾性変形することで、前記係止部に係止される操作パネル。
【請求項４】
請求項２または３に記載の操作パネルにおいて、
前記当接片は、前記当接面が前記突出片に当接した状態では、前記第２プレートの前記周縁部に沿って延びる形状を有すると共に、その先端部が前記係止部に対向しており、
前記当接片の前記先端部と前記係止部との間に指先を挿入することが可能な程度の隙間が形成されている操作パネル。
【請求項５】
請求項１〜４のいずれか一項に記載の操作パネルにおいて、
前記固定部材が複数設けられている操作パネル。
【請求項６】
請求項５に記載の操作パネルにおいて、
前記第１プレートは、前記操作ボタンの配置に応じて分割された複数の第１プレート部分を有し、
前記第２プレートは、前記第１プレート部分と一致するように分割された複数の第２プレート部分を有し、
前記第２プレート部分のそれぞれには、前記突出片が突設されており、
前記固定部材のそれぞれは、対応する前記突出片に対して前記固定姿勢および前記解除姿勢を取ることが可能である操作パネル。
【請求項７】
請求項１〜６のいずれか一項に記載の操作パネルにおいて、
前記第１プレートの前記第１位置決め手段および前記第２プレートの前記第２位置決め手段は、前記操作ボタンを貫通させるための貫通孔である操作パネル。
【発明の詳細な説明】
【技術分野】
【０００１】
本発明は、ユーザから操作指示を受け付ける複数の操作ボタンを有する操作パネルに関する。
【背景技術】
【０００２】
プリンタ、ファクシミリ、複合機等の画像形成装置は、通常そのフロント面にユーザの操作を受け付けるための操作パネルを備えている。操作パネルは、ユーザが画像形成装置の動作状態を設定し、所望の機能を活用して画像形成動作を行わせるための複数の操作ボタンを有する。
【０００３】
操作ボタンの機能をユーザに伝える目的で、例えば特許文献１の画像形成装置では、操作ボタンの機能名称等を言語で表記した機能表示シートが用いられている。機能表示シートは、シート押さえ部材によって操作パネル上に固定されている。また、特許文献１では、シート押さえ部材を操作パネルから取り外すことにより、機能表示シートを交換することができる。
【先行技術文献】
【特許文献】
【０００４】
【特許文献１】特開２００９−３７７５３号公報
【発明の概要】
【発明が解決しようとする課題】
【０００５】
しかしながら、特許文献１の画像形成装置では、機能表示シートの操作パネルへの取付け作業を行うにあたり、まず、押さえ部材の下面に形成された複数のフックを、操作パネルのパネル本体に形成された対応する取付孔に挿入し、次に、押さえ部材をパネル本体に対して所定の方向にスライド移動させることで、フックをパネル本体の裏面側に係合させる必要がある。このように、特許文献１の画像形成装置では、機能表示シートは交換可能となっているものの、その取付け作業が煩雑である。
【０００６】
そこで、本発明は、上記事情に鑑み、操作ボタン等の機能名称を言語等で表記したシートやプレートの交換作業が容易な操作パネルを提供することを目的とする。
【課題を解決するための手段】
【０００７】
上記目的を達成するために、本発明に係る操作パネルは、パネル本体と、操作指示をユーザから受け付けるために配置された複数の操作ボタンを有し、前記パネル本体に設けられたボタン配置面と、前記操作ボタンの機能名称が表記され、前記操作ボタンに対する第１位置決め手段を有し、前記ボタン配置面上に取り替え可能に載置された第１プレートと、周縁部と、前記周縁部から外方へ突設された突出片とを有し、前記第１プレート上に取り外し可能に積重され、前記操作ボタンに対する第２位置決め手段を有し、前記第１プレートの表記が視認可能な程度に透明な第２プレートと、前記パネル本体に回動自在に設けられた固定部材であって、第１方向に回動して前記突出片に当接することで、前記第１プレートおよび前記第２プレートを前記ボタン配置面に対して固定する固定姿勢と、前記第１方向とは反対の第２方向に回動して前記突出片から離間することで、前記第１プレートおよび前記第２プレートの固定状態を解除する解除姿勢との間で姿勢変更可能な固定部材とを含む。
【０００８】
本発明に係る操作パネルによれば、固定部材は、第１方向に回動して第２プレートの突出片に当接することで、第１プレートおよび第２プレートをボタン配置面に対して固定する固定姿勢と、第２方向に回動して突出片から離間することで、第１プレートおよび第２プレートの固定状態を解除する解除姿勢との間で姿勢変更可能に構成されている。そのため、ユーザが固定部材を第２方向に回動させるだけで第１プレートをボタン配置面から取り外すことができ、そして固定部材を第１方向に回動させるだけで第１プレートをボタン配置面に取り付けることができる。このように、本発明に係る操作パネルでは、第１プレートの取り替えが容易である。
【０００９】
前記固定部材は、好ましくは、前記第１方向および前記第２方向に回動可能な当接片であって、前記第１方向に回動したときに前記突出片に当接する当接面を有する当接片と、前記当接片を前記第１方向および前記第２方向に回動させる回動軸と、前記当接面が向く方向と略同一の方向に突出するように前記当接片に設けられた舌状部とを有する。そして、前記パネル本体は、前記第２プレートの前記周縁部に沿って設けられ、前記当接片が前記第１方向に回動して前記当接面が前記突出片に当接した状態で前記舌状部を係止することが可能な係止部を有する。
【００１０】
本発明の好ましい実施形態では、前記舌状部は、弾性を有し、前記係止部に接触しつつ弾性変形することで、前記係止部に係止される。
【００１１】
この構成によれば、舌状部の弾性を利用して舌状部を係止部に係止することができるので、舌状部を係止部に係止するための特別な機構を必要としない。
【００１２】
本発明の他の好ましい実施形態では、前記当接片は、前記当接面が前記突出片に当接した状態では、前記第２プレートの前記周縁部に沿って延びる形状を有すると共に、その先端部が前記係止部に対向しており、前記当接片の前記先端部と前記係止部との間に指先を挿入することが可能な程度の隙間が形成されている。
【００１３】
この構成によれば、ユーザは指先を隙間に挿入することで固定部材を容易に第２方向に回動させることができる。
【００１４】
本発明のさらに他の好ましい実施形態では、前記固定部材が複数設けられている。この構成によれば、第１プレートおよび第２プレートをボタン配置面に対してより強固に固定することができる。
【００１５】
本発明のさらに他の好ましい実施形態では、前記第１プレートは、前記操作ボタンの配置に応じて分割された複数の第１プレート部分を有し、前記第２プレートは、前記第１プレート部分と一致するように分割された複数の第２プレート部分を有し、前記第２プレート部分のそれぞれには、前記突出片が突設されており、前記固定部材のそれぞれは、対応する前記突出片に対して前記固定姿勢および前記解除姿勢を取ることが可能である。
【００１６】
この構成によれば、第１プレート全体を取り替えることなく、ユーザが取り替えたい部分だけを取り替えることができる。
【００１７】
本発明のさらに他の好ましい実施形態では、前記第１プレートの前記第１位置決め手段および前記第２プレートの前記第２位置決め手段は、前記操作ボタンを貫通させるための貫通孔である。
【００１８】
この構成によれば、前記貫通孔に操作ボタンが嵌合された状態で、前記第１プレートおよび第２プレートがボタン配置面に取り付けられる。従って、第１プレートおよび第２プレートに設けられている貫通孔が、自身の取り付けのための位置決め手段として機能する。
【発明の効果】
【００１９】
本発明に係る操作パネルによれば、操作ボタン等の機能名称を言語等で表記したシートやプレートの交換作業が容易である。
【図面の簡単な説明】
【００２０】
【図１】本発明の一実施形態に係る画像形成装置の外観構造を示す斜視図である。
【図２】操作パネルの一例を示す斜視図である。
【図３】図２のＩＩＩ−ＩＩＩ線に沿って切断した断面図である。
【図４】操作パネルを、該操作パネルの前縁部側から、かつ斜め上方から見た部分斜視図であり、固定部材が固定姿勢を取っている状態を示す。
【図５】操作パネルを、該操作パネルの後縁部側から、かつ斜め上方から見た部分斜視図であり、固定部材が固定姿勢を取っている状態を示す。
【図６】操作パネルの部分側面図であり、固定部材が固定姿勢を取っている状態を示す。
【図７】操作パネルを、該操作パネルの前縁部側から、かつ斜め上方から見た部分斜視図であり、固定部材が解除姿勢を取っている状態を示す。
【図８】操作パネルを、該操作パネルの後縁部側から、かつ斜め上方から見た部分斜視図であり、固定部材が解除姿勢を取っている状態を示す。
【図９】操作パネルの部分側面図であり、固定部材が解除姿勢を取っている状態を示す。
【図１０】固定部材の斜視図である。
【図１１】操作パネルを、該操作パネルの後縁部側から、かつ斜め上方から見た部分斜視図であり、固定部材が取り外された状態を示す。
【発明を実施するための形態】
【００２１】
以下、図面に基づいて、本発明の実施形態につき説明する。
【００２２】
図１は、本発明の一実施形態に係る複写機Ｓ（画像形成装置）の外観構造を示す斜視図である。複写機Ｓは、大略的に、略六面体の筐体構造を有する装置本体部１（装置本体）と、装置本体部１の上方部に配置された画像読み取り部２と、画像読み取り部２の前方側（ユーザが操作を行うフロント面）に取り付けられた操作パネル３とを備えて構成されている。
【００２３】
装置本体部１は、画像形成用の用紙を貯留する用紙トレイ１１を備えるほか、その内部に画像形成部、定着部、用紙搬送路などが備えられている。前記画像形成部は、用紙トレイ１１から供給される所定の用紙にトナー像を転写して画像を形成するもので、静電潜像を担持する感光ドラム、この感光ドラムの表面を帯電させる帯電ユニット、原稿画像に対応する静電潜像を感光ドラムの表面にレーザビーム等によって形成する露光ユニット、形成された静電潜像に現像剤を付着させてトナー像を形成する現像ユニット、前記トナー像を用紙に転写する転写ローラ、トナー像転写後に感光ドラム表面を除電する除電ユニット、感光ドラム表面の残留トナーを除去するクリーニングブレード等を備えて構成されている。また、定着部は、トナー像が転写された用紙を感光ドラムから分離して、当該用紙上にトナー像を定着させるための定着ローラ対を備えてなる。
【００２４】
画像読み取り部２は、原稿の画像を読み取って画像データを得るためのもので、自動原稿搬送装置２１（ＡＤＦ）とスキャナ部２２を備えている。自動原稿搬送装置２１は、読み取るべき原稿を、スキャナ部２２へ自動給送するものである。スキャナ部２２は、原稿が載置されるコンタクトガラス２３，２４（図２）、原稿に光照射する光源である露光ランプと原稿からの反射光を反射させるミラーとを一体化してなるミラーユニット、ミラーユニットからの反射光を絞るレンズ群、及び、レンズ群によって反射光が絞られ結像された光像を光電変換して画像データを得る撮像素子（ＣＣＤ；charge Coupled Device）からなるＣＣＤイメージセンサを備えている。
【００２５】
装置本体部１と画像読み取り部２との間には、胴内排紙部１２が備えられている。用紙トレイ１１から送り出され、装置本体部１の前記画像形成部において画像読み取り部２で読み取られた原稿画像に応じたトナー像が転写され、前記定着部で前記トナー像が定着された用紙は、前記胴内排紙部１２に排出される。
【００２６】
操作パネル３は、複写機Ｓの画像形成動作に関する各種機能の操作ボタン類を有し、ユーザの操作ボタン類の押圧操作等による機能選択を受け付け、その選択された機能に応じて複写機Ｓに所定の画像形成動作を行わせるものである。なお、本発明において「操作ボタン類」とは、各種形状のプッシュボタン、可倒式ボタン、シーソー式ボタン、タッチボタン等の他、回転式摘み、回動式レバー、スライド式レバーの類も広く包含するものである。
【００２７】
以下、操作パネル３について、まず図２および図３を参照しながら詳細に説明する。図２は、操作パネル３の一例を示す斜視図であり、図３は、図２のＩＩＩ−ＩＩＩ線に沿って切断した断面図である。操作パネル３は、扁平な箱形形状を呈するパネル本体部３０を有する。パネル本体部３０は、前縁部３２、後縁部３１、右縁部３３および左縁部３４を有する。前縁部３２および後縁部３１は、スキャナ部２２の長手方向に沿って延びており、パネル本体部３０は、後縁部３１側でスキャナ部２２に支持されている。右縁部３３および左縁部３４のそれぞれは、前縁部３２および後縁部３１を前後方向において連結している。
【００２８】
操作パネル３は、前縁部３２、後縁部３１、右縁部３３および左縁部３４間で画定された凹部４３を有する。凹部４３における上方を向く面がボタン配置面３５とされている。ボタン配置面３５には、複数の操作ボタンからなるボタン群３８，３９，４０、ＬＣＤ表示部４１、カーソル４２等が配置されている。そして、ボタン配置面３５上に、操作ボタン類の機能名称等が特定の言語で表記された機能表示プレート３６（第１プレート）が載置されている。
【００２９】
さらに、機能表示プレート３６上に、該機能表示プレート３６の機能名称が視認可能な程度に透明な意匠面プレート３７（第２プレート）が積み重ねられている。
【００３０】
機能表示プレート３６および意匠面プレート３７には、操作ボタン等を貫通させるための複数の貫通孔４４（図４参照）が形成されている。貫通孔４４に操作ボタンが嵌合された状態で、機能表示プレート３６および意匠面プレート３７がボタン配置面３５に取り付けられる。この場合、機能表示プレート３６および意匠面プレート３７に設けられている貫通孔４４が、自身の取り付けのための位置決め手段としても機能することになる。なお、機能表示プレート３６は、例えば紙シートやプラスチックフィルムシートであり、言語だけでなく、機能名称を視覚的にユーザに認識させる絵記号が表記されていてもよい。また、意匠面プレート３７は透明プラスチック材等からなる。
【００３１】
機能表示プレート３６には、ユーザが操作ボタンの用途に応じて記入することが可能なユーザ記入欄が設けられているため、機能表示プレート３６は取り替え可能であると共に、意匠面プレート３７は取り外し可能とされている。本実施形態では、ユーザが機能表示プレート３６の取り替えを容易に行うことができるように固定部材５０を用いている。
【００３２】
固定部材５０は、パネル本体部３０に回動自在に設けられた部材であって、第１方向に回動して意匠面プレート３７に上方から当接することで、機能表示プレート３６および意匠面プレート３７をボタン配置面３５に固定する固定姿勢と、第１方向とは反対の第２方向に回動して意匠面プレート３７から離間することで、機能表示プレート３６および意匠面プレート３７の固定状態を解除する解除姿勢との間で姿勢変更可能に構成されている。固定部材５０は、パネル本体部３０の後縁部３１に複数（図２では３つ）配置されている。以下、固定部材５０について、図４〜図１１を参照しながら詳細に説明する。なお、複数の固定部材５０は互いに同一の構成を有しているので、図４〜図１１では、代表として左側の固定部材５０についてのみ説明を行う。また、図の明確化のため、スキャナ部２２を省略している。
【００３３】
図４は、操作パネル３を、該操作パネル３の前縁部３２側から、かつ斜め上方から見た部分斜視図であり、固定部材５０が固定姿勢を取っている状態を示す。図５は、操作パネル３を、該操作パネル３の後縁部３１側から、かつ斜め上方から見た部分斜視図であり、固定部材５０が固定姿勢を取っている状態を示す。図６は、操作パネル３の部分側面図であり、固定部材５０が固定姿勢を取っている状態を示す。図７は、操作パネル３を、該操作パネル３の前縁部３２側から、かつ斜め上方から見た部分斜視図であり、固定部材５０が解除姿勢を取っている状態を示す。図８は、操作パネル３を、該操作パネル３の後縁部３１側から、かつ斜め上方から見た部分斜視図であり、固定部材５０が解除姿勢を取っている状態を示す。図９は、操作パネル３の部分側面図であり、固定部材５０が解除姿勢を取っている状態を示す。図１０は、固定部材５０の斜視図であり、図１１は、操作パネル３を、該操作パネル３の後縁部３１側から、かつ斜め上方から見た部分斜視図であり、固定部材５０が取り外された状態を示す。
【００３４】
パネル本体部３０の後縁部３１は、その延在方向において一部が切除されており、左右方向に対向する第１対向端部３１ａと第２対向端部３１ｂとを有する。第１対向端部３１ａと第２対向端部３１ｂとの間には、空間が形成されており、意匠面プレート３７の周縁部４５の一部が露出している。固定部材５０は、第１対向端部３１ａと第２対向端部３１ｂとの間に配置されており、当接片５１と、回動軸５２と、舌状部５３とを有する。
【００３５】
当接片５１は、固定部材５０が固定姿勢を取っている状態では第１対向端部３１ａと第２対向端部３１ｂとの間で意匠面プレート３７の周縁部４５に沿って延びるものであって、一端部５４と他端部５５（先端部）とを有する。一端部５４は、固定部材５０が固定姿勢を取っている状態では下方に延長された延長部６３を有しており、その延長部６３に、回動軸５２が一体に設けられている。
【００３６】
回動軸５２は、延長部６３からパネル本体部３０に向かって突設されており、パネル本体部３０における後縁部３１側の側面に形成された受入孔５９（図１１）に回転可能に支持されている。これにより、当接片５１は、第１方向および第１方向とは反対の第２方向に回動可能となっている。固定部材５０は、後述するように、当接片５１が第１方向に回動することで固定姿勢を取ることができると共に、当接片５１が第２方向に回動することで解除姿勢を取ることができる。
【００３７】
ボタン配置面３５には、パネル本体部３０の後縁部３１に向く縁部からパネル配置面よりも上方に突出する係合突起４７が一体に形成されている。意匠面プレート３７の周縁部４５には、一対の突出片４６が外方へ突設されている。一対の突出片４６は、周縁部４５から意匠面プレート３７の表面に平行に延びている。意匠面プレート３７は、一対の突出片４６の間にボタン配置面３５の係合突起４７が位置するように機能表示プレート３６を介してボタン配置面３５上に載置されることで、該ボタン配置面３５に対して位置決めされる。
【００３８】
また、当接片５１は、延長部６３と後述する舌状部５３との間で（つまり当接片５１の上面とは反対側の裏面において一端部５４と他端部５５との間で）延びる当接面５６（図７および図１０）を有している。当接面５６は、当接片５１が第１方向、例えば図８に示す状態から反時計回りに回動したとき、意匠面プレート３７の一対の突出片４６に上方から当接して、意匠面プレート３７および機能表示プレート３６をボタン配置面３５に対して上方から押し付ける面である。
【００３９】
舌状部５３は、当接片５１の他端部５５から当接面５６が向く方向と略同一の方向に突出する、つまり、固定部材５０が固定姿勢を取っているとき下方に延びた状態となるものであって、当接片５１の他端部５５から一体に延びる延出片５７と、舌片５８とを有する。舌片５８は、延出片５７に一体に形成され、当接片５１の一端部５４とは反対の方向に向いている。舌片５８は、好ましくは、固定部材５０が固定姿勢を取っている状態では後縁部３１の第２対向端部３１ｂに向かって斜め下方に延びるものである。固定部材５０は樹脂等から形成され、舌状部５３は弾性変形可能な程度にその厚さ寸法等が設定されている。
【００４０】
パネル本体部３０の後縁部３１の第２対向端部３１ｂには、係止部６０が一体に形成されている。係止部６０は、当接片５１が第１方向に回動して（例えば図８に示す状態から反時計回りに回動して）当接面５６が突出片４６に当接した状態で舌状部５３の舌片５８を係止するものである。係止部６０は、意匠面プレート３７の周縁部４５に沿って設けられていると共に、後縁部３１の第１対向端部３１ａ側に向かって斜め下方に所定の距離だけ延びている。そして、係止部６０の先端部が舌片５８を係止する係止片６１とされている。
【００４１】
また、係止部６０と、該係止部６０に対向する当接片５１の他端部５５との間には、隙間Ｇが形成されている。隙間Ｇの大きさは、ユーザが指先を挿入することが可能な程度に設定されている。
【００４２】
以下、機能表示プレート３６の取り外しおよび取り付けの手順について説明する。機能表示プレート３６を操作パネル３から取り外す場合、つまり、図４〜図６に示す固定姿勢にある固定部材５０を解除姿勢に変更する場合、まず、当接片５１の他端部５５と係止部６０との間の隙間Ｇに指先を挿入し、当接片５１を図５および図６に示す状態から時計回り（第２方向）に回動させるために他端部５５を持ち上げる。すると、係止部６０の係止片６１に係止されている舌状部５３の舌片５８が係止片６１に対して弾性変形して、舌片５８と係止片６１との係合が解除される。この後、他端部５５をさらに持ち上げて当接片５１を回動させると、当接片５１の当接面５６が意匠面プレート３７の突出片４６から離間する。これにより、固定部材５０は図７〜図９に示す解除姿勢に変更され、ユーザは、意匠面プレート３７を取り外した後、機能表示プレート３６をボタン配置面３５から取り外すことができる。なお、固定部材５０の第２方向への回動動作は、当接片５１が第１対向端部３１ａに接触することで規制される。
【００４３】
次に、機能表示プレート３６を操作パネル３に取り付ける場合、つまり、図７〜図９に示す解除姿勢にある固定部材５０を固定姿勢に変更する場合、まず、機能表示プレート３６をボタン配置面３５上に載置し、意匠面プレート３７の突出片４６間に係合突起４７を位置させた状態で意匠面プレート３７を機能表示プレート３６上に積重させる。そして、当接片５１を図８および図９に示す状態から反時計回り（第１方向）に回動させて、舌片５８を係止片６１に接触させる。その状態から当接片５１の他端部５５を軽く押圧すると、舌片５８は係止片６１に対して弾性変形して係止片６１に係止される。このとき、当接片５１の当接面５６は、意匠面プレート３７の突出片４６を上方から押圧する状態となる。これにより、固定部材５０は、図４〜図６に示す固定姿勢に変更され、機能表示プレート３６および意匠面プレート３７はボタン配置面３５に対して固定される。
【００４４】
以上説明した本実施形態に係る画像形成装置では、固定部材５０の姿勢は上述したように固定姿勢と解除姿勢との間で変更可能であり、ユーザは、固定部材５０を第２方向に回動させるだけで機能表示プレート３６をボタン配置面３５から取り外すことができ、そして固定部材５０を第１方向に回動させるだけで機能表示プレート３６をボタン配置面３５に取り付けることができる。このように、本実施形態に係る画像形成装置では、機能表示プレート３６の取り替えが容易である。
【００４５】
また、舌状部５３の弾性を利用して舌状部５３の舌片５８を係止部６０の係止片６１に係止しているので、舌状部５３を係止部６０に係止するための特別な機構を必要としない。
【００４６】
さらに、当接片５１の他端部５５と係止部６０との間には、指先を挿入することが可能な程度の隙間Ｇが形成されているので、ユーザは指先を隙間Ｇに挿入することで固定部材５０を容易に第２方向に回動させることができる。
【００４７】
さらに、複数の固定部材５０が設けられているので、機能表示プレート３６および意匠面プレート３７をボタン配置面３５に対してより強固に固定することができる。
【００４８】
上記の実施形態では、一枚の機能表示プレート３６を用いた場合につき説明したが、機能表示プレート３６は、操作ボタンの配置に応じて複数の第１プレート部分に分割してもよい。例えば、機能表示プレート３６は、ボタン群に対応して破線Ｘで示すように分割された第１プレート部分と、ボタン群に対応して破線Ｗで示すように分割された第１プレート部分とを有することができる。その場合、意匠面プレート３７は、第１プレート部分と一致するように複数の第２プレート部分に分割され、各第２プレート部分には、一対の突出片４６が突設される。そして、複数の固定部材５０のそれぞれを、第２プレート部分に対応して設けることで、機能表示プレート３６全体を替えるのではなく、ユーザが取り替えたい第１プレート部分のみを取り替えることができる。
【符号の説明】
【００４９】
１  装置本体
３  操作パネル
３０  パネル本体部
３５  ボタン配置面
３６  機能表示プレート（第１プレート）
３７  意匠面プレート（第２プレート）
４５  周縁部
４６  突出片
４７  係合突起
５０  固定部材
５１  当接片
５２  回動軸
５３  舌状部
６０  係止部
６１  係止片
Ｇ  隙間
Ｓ  画像形成装置
【図１】
0005581424.tif 000002
【図２】
0005581424.tif 000003
【図３】
0005581424.tif 000004
【図４】
0005581424.tif 000005
【図５】
0005581424.tif 000006
【図６】
0005581424.tif 000007
【図７】
0005581424.tif 000008
【図８】
0005581424.tif 000009
【図９】
0005581424.tif 000010
【図１０】
0005581424.tif 000011
【図１１】
0005581424.tif 000012